(57)【要約】【課題】電池並列接続回路により、電気的に並列接続する複数の電池のうちのどの電池の電力を利用するかを決め可能であり、一つ以上の電池の電力を同時に利用可能である。【解決手段】第１電池及び第２電池と電気的に連接することにより、第１供給電力と第２供給電力をそれぞれ接収する系統モジュールと、系統モジュールと電気的に連接する電池並列接続回路と、を含む電池並列接続回路付き電子装置において、電池並列接続回路は、第１電源切替回路と、第２電源切替回路と、を含み、第１電源切替回路は、第１電池および系統モジュールと電気的に連接する第１ダイオードと、第１ダイオードと電気的に並列接続する第１スイッチと、を含み、第２電源切替回路は、第２電池および系統モジュールと電気的に連接する第２ダイオードと、第２ダイオードと電気的に並列接続する第２スイッチと、を含む。【選択図】図２
2011120436.tif 000002
【特許請求の範囲】
【請求項１】
第１電池及び第２電池と電気的に連接することにより、第１供給電力と第２供給電力をそれぞれ接収し、臨界電流値が予めに設定された系統モジュールと、前記系統モジュールと電気的に連接する電池並列接続回路と、を含む電池並列接続回路付き電子装置において、
前記電池並列接続回路は、第１電源切替回路と、第２電源切替回路と、を含み、
前記第１電源切替回路は、
前記第１電池および前記系統モジュールと電気的に連接し、前記第１電池と前記系統モジュールの間に第１順方向バイアスを有する第１ダイオードと、
前記第１ダイオードと電気的に並列接続する第１スイッチと、を含み、
前記第２電源切替回路は、
前記第２電池および前記系統モジュールと電気的に連接し、前記第２電池と前記系統モジュールの間に第２順方向バイアスを有する第２ダイオードと、
前記第２ダイオードと電気的に並列接続する第２スイッチと、を含み、
第１電力供給状態において、前記第１供給電力が前記第１ダイオードを介して前記系統モジュールに供給され、前記系統モジュールは、前記第１スイッチに第１スイッチ信号を伝送し、前記第２スイッチに第２スイッチ信号を伝送し、これにより、前記第１スイッチがオンになり、前記第２スイッチがオフになり、そうすると、前記第１供給電力が前記第１スイッチを介して前記系統モジュールに供給され、前記第２供給電力の電流が前記臨界電流値よりも大きいときには、前記系統モジュールは、前記第１スイッチに第１スイッチ信号を伝送し、前記第２スイッチに第２スイッチ信号を伝送し、これにより、前記第１スイッチがオフになり、前記第２スイッチがオンになり、そうすると、電力供給状態が第２電力供給状態に入り、第２電力供給状態において、前記第２供給電力が前記第２スイッチを介して前記系統モジュールに供給されることを特徴とする電池並列接続回路付き電子装置。
【請求項２】
前記第１電池と前記第２電池は、前記系統モジュールと通信的にカップリングされ、それぞれ前記系統モジュールに第１電池情報と第２電池情報を伝送することを特徴とする、請求項１に記載の電池並列接続回路付き電子装置。
【請求項３】
前記第１電池情報と前記第２電池情報は、電池電圧値、電池電流値、又は電池電圧値および電池電流値をそれぞれ含むことを特徴とする、請求項２に記載の電池並列接続回路付き電子装置。
【請求項４】
前記電子装置が電源供給モジュールと電気的に連接するときには、前記電子装置が第１充電状態に入り、前記系統モジュールは、前記第１スイッチに第１スイッチ信号を伝送し、前記第２スイッチに第２スイッチ信号を伝送し、これにより、前記第１スイッチがオンになり、前記第２スイッチがオフになり、そうすると、前記電源供給モジュールから前記第１スイッチを介して第１充電電力が前記第１電池に供給されることを特徴とする、請求項１から３の何れか１項に記載の電池並列接続回路付き電子装置。
【請求項５】
前記第１電池の電圧が設定された臨界電圧値よりも大きい場合には、前記系統モジュールは、前記第１スイッチに第１スイッチ信号を伝送し、前記第２スイッチに第２スイッチ信号を伝送し、これにより、前記第１スイッチがオフになり、前記第２スイッチがオンになり、そうすると、充電状態が第２充電状態に入り、前記電源供給モジュールから前記第２スイッチを介して第２充電電力が前記第２電池に供給されることを特徴とする、請求項４に記載の電池並列接続回路付き電子装置。
【発明の詳細な説明】
【技術分野】
【０００１】
本発明は、電子装置に関し、特に、電池並列接続回路付き電子装置に関するものである。
【背景技術】
【０００２】
科学技術の進展に従って、電子装置（例えば携帯電話やノートブック式パーソナルコンピュータなど）は日常生活の不可欠なものになり、なお、電子装置にとって最も重要な部材の一つは電源である。
【０００３】
ノートブック式パーソナルコンピュータを例にして説明すると、従来のノートブック式パーソナルコンピュータの電力供給の方式は二つあり、一つはケーブルを介して市電を電力とし、二つはノートブック式パーソナルコンピュータに組み付けられる電池から電力を得る。しかし、室外で市電を得ることが容易ではなく、ノートブック式パーソナルコンピュータに組み付けられる電池は数時間だけの電力を供給可能であるため、ノートブック式パーソナルコンピュータの使用に制限がある。
【０００４】
もっと多くの電力を供給可能にするために、従来の電子装置には、外部の電池の挿入ポートが増設され、二つの電池がそれぞれ一つのスイッチを介して電子装置と電気的に連接し、二つのスイッチのうちの何れかの一つをオンにすることにより、当該電池の電力が電子装置に供給され、そうすると、二つの電池の電力を同時に利用できず、そして利用の電池を切り替えるときに、電子装置のパワーをオフすることが必要であるため、使用は極めて不便である。
【発明の概要】
【発明が解決しようとする課題】
【０００５】
本発明の主な目的は、電池並列接続回路により、電気的に並列接続する複数の電池のうちのどの電池の電力を利用するかを決めることが可能であり、一つ以上の電池の電力を同時に利用可能であり、電子装置をシャットダウンせずに、利用の電池を切り替えることができる電池並列接続回路付き電子装置を提供することにある。
【課題を解決するための手段】
【０００６】
本発明の電池並列接続回路付き電子装置によると、第１電池及び第２電池と電気的に連接することにより、第１供給電力と第２供給電力をそれぞれ接収し、臨界電流値が予めに設定された系統モジュールと、前記系統モジュールと電気的に連接する電池並列接続回路と、を含む電池並列接続回路付き電子装置において、
前記電池並列接続回路は、第１電源切替回路と、第２電源切替回路と、を含み、
前記第１電源切替回路は、
前記第１電池および前記系統モジュールと電気的に連接し、前記第１電池と前記系統モジュールの間に第１順方向バイアスを有する第１ダイオードと、
前記第１ダイオードと電気的に並列接続する第１スイッチと、を含み、
前記第２電源切替回路は、
前記第２電池および前記系統モジュールと電気的に連接し、前記第２電池と前記系統モジュールの間に第２順方向バイアスを有する第２ダイオードと、
前記第２ダイオードと電気的に並列接続する第２スイッチと、を含み、
第１電力供給状態において、前記第１供給電力が前記第１ダイオードを介して前記系統モジュールに供給され、前記系統モジュールは、前記第１スイッチに第１スイッチ信号を伝送し、前記第２スイッチに第２スイッチ信号を伝送し、これにより、前記第１スイッチがオンになり、前記第２スイッチがオフになり、そうすると、前記第１供給電力が前記第１スイッチを介して前記系統モジュールに供給され、前記第２供給電力の電流が前記臨界電流値よりも大きいときには、前記系統モジュールは、前記第１スイッチに第１スイッチ信号を伝送し、前記第２スイッチに第２スイッチ信号を伝送し、これにより、前記第１スイッチがオフになり、前記第２スイッチがオンになり、そうすると、電力供給状態が第２電力供給状態に入り、第２電力供給状態において、前記第２供給電力が前記第２スイッチを介して前記系統モジュールに供給されることを特徴とする。
【０００７】
本発明の電池並列接続回路付き電子装置によると、前記第１電池と前記第２電池は、前記系統モジュールと通信的にカップリングされ、それぞれ前記系統モジュールに第１電池情報と第２電池情報を伝送することを特徴とする。
【０００８】
本発明の電池並列接続回路付き電子装置によると、前記第１電池情報と前記第２電池情報は、電池電圧値、電池電流値、又は電池電圧値および電池電流値をそれぞれ含むことを特徴とする。
【０００９】
本発明の電池並列接続回路付き電子装置によると、前記電子装置が前記電源供給モジュールと電気的に連接するときには、前記電子装置が第１充電状態に入り、前記系統モジュールは、前記第１スイッチに第１スイッチ信号を伝送し、前記第２スイッチに第２スイッチ信号を伝送し、これにより、前記第１スイッチがオンになり、前記第２スイッチがオフになり、そうすると、前記電源供給モジュールから前記第１スイッチを介して前記第１充電電力が前記第１電池に供給されることを特徴とする。
【００１０】
本発明の電池並列接続回路付き電子装置によると、前記第１電池の電圧が設定された臨界電圧値よりも大きい場合には、前記系統モジュールは、前記第１スイッチに第１スイッチ信号を伝送し、前記第２スイッチに第２スイッチ信号を伝送し、これにより、前記第１スイッチがオフになり、前記第２スイッチがオンになり、そうすると、充電状態が第２充電状態に入り、前記電源供給モジュールから前記第２スイッチを介して前記第２充電電力が前記第２電池に供給されることを特徴とする。
【発明の効果】
【００１１】
本発明の電池並列接続回路付き電子装置によれば、電池並列接続回路により、電気的に並列接続する複数の電池のうちのどの電池の電力を利用するかを決めることが可能であり、一つ以上の電池の電力を同時に利用可能であり、電子装置をシャットダウンせずに、利用の電池を切り替えることができるという効果を有する。
【図面の簡単な説明】
【００１２】
【図１】本発明の一実施形態の電池並列接続回路付き電子装置の模式図である。
【図２】本発明の一実施形態の電子装置の第１電力供給状態で切替を実施することを示す模式図である。
【図３】本発明の一実施形態の電子装置が第２電力供給状態に切り替えられた状態を示す模式図である。
【図４】本発明の一実施形態の電子装置に電源供給モジュールが電気的に連接されて第１充電状態になることを示す模式図である。
【図５】本発明の一実施形態の電子装置に電源供給モジュールが電気的に連接されて第２充電状態になることを示す模式図である。
【発明を実施するための形態】
【００１３】
以下、本発明の実施の形態を図面に基づいて説明する。
まず、図１を参照する。図１は本発明の一実施形態の電池並列接続回路付き電子装置の模式図である。本発明の一実施形態の電池並列接続回路付き電子装置１００は、第１電池２００及び第２電池３００と電気的に連接することにより、第１供給電力Ｐ１と第２供給電力Ｐ２をそれぞれ接収する。電子装置１００は、系統モジュール１１と、電池並列接続回路１２と、を含む。
【００１４】
系統モジュール１１には、臨界電流値が予めに設定され、本実施形態では、第１電池２００と第２電池３００は、系統モジュール１１と通信的にカップリングされ、それぞれ系統モジュール１１に第１電池情報Ｓ１と第２電池情報Ｓ２を伝送する。第１電池情報Ｓ１と第２電池情報Ｓ２は、電池電圧値、電池電流値、又は電池電圧値および電池電流値をそれぞれ含む。
【００１５】
電池並列接続回路１２は、系統モジュール１１と電気的に連接し、第１電源切替回路１２１と、第２電源切替回路１２２と、を含む。
第１電源切替回路１２１は、第１ダイオード１２１１と、第１スイッチ１２１２と、を含む。第１ダイオード１２１１は、第１電池２００および系統モジュール１１と電気的に連接し、第１電池２００と系統モジュール１１の間に第１順方向バイアスを有する。第１スイッチ１２１２は、第１ダイオード１２１１と電気的に並列接続する。
【００１６】
第２電源切替回路１２２は、第２ダイオード１２２１と、第２スイッチ１２２２と、を含む。第２ダイオード１２２１は、第２電池３００および系統モジュール１１と電気的に連接し、第２電池３００と系統モジュール１１の間に第２順方向バイアスを有する。第２スイッチ１２２２は、第２ダイオード１２２１と電気的に並列接続する。
【００１７】
図１及び図２を参照する。図２は本発明の一実施形態の電子装置の第１電力供給状態で切替を実施することを示す模式図である。本発明の一実施形態の電子装置は、第１電力供給状態において、第１供給電力Ｐ１が第１ダイオード１２１１を介して系統モジュール１１に供給され、このとき、系統モジュール１１は、第１スイッチ１２１２に第１スイッチ信号Ｓ３を伝送し、第２スイッチ１２２２に第２スイッチ信号Ｓ４を伝送し、これにより、第１スイッチ１２１２がオンになり、第２スイッチ１２２２がオフになり、そうすると、第１供給電力Ｐ１が第１スイッチ１２１２を介して系統モジュール１１に供給される。
【００１８】
第１電池２００からの第１供給電力Ｐ１は第１ダイオード１２１１を経由しないため、第１順方向バイアスのロスにより第１電源切替回路１２１の両端に電圧が降下することは発生せず、電力供給の効率が更に増加する。第１電力供給状態では、第２ダイオード１２２１が電気を伝導しないため、第２電池３００からの第２供給電力Ｐ２は第１供給電力Ｐ１よりも大幅に少ない。すなわち、第１スイッチ１２１２に第１スイッチ信号Ｓ３を伝送し、第２スイッチ１２２２に第２スイッチ信号Ｓ４を伝送することにより、第１スイッチ１２１２がオンされ第２スイッチ１２２２がオフされ、そうすると、第１電池２００が電子装置１００の主な電力ソースになり、このとき、第２電池３００が放電状態にあるため、電子装置１００をシャットダウンせずに、利用の電池を切り替えることができる。
【００１９】
図２及び図３を参照する。図３は本発明の一実施形態の電子装置が第２電力供給状態に切り替えられた状態を示す模式図である。第１電池２００は、第１供給電力Ｐ１を持続に供給するため、電圧が徐々に降下するときに、第２供給電力Ｐ２が徐々に増加し、第２電池情報Ｓ２により系統モジュール１１は第２供給電力Ｐ２が臨界電流値よりも大きいことを検知したときに、系統モジュール１１は、第１スイッチ１２１２に第１スイッチ信号Ｓ３を伝送し、第２スイッチ１２２２に第２スイッチ信号Ｓ４を伝送することにより、第１スイッチ１２１２がオフされ第２スイッチ１２２２がオンされ、そうすると、第２電池３００が電子装置１００の主な電力ソースになり（すなわち、第２電力供給状態に入り）、第２供給電力Ｐ２が第２スイッチ１２２２を介して系統モジュール１１に伝送される。
【００２０】
このとき、第２供給電力Ｐ２は第２ダイオード１２２１を経由しないため、第２順方向バイアスのロスにより第２電源切替回路１２２の両端に電圧が降下することは発生せず、電力を供給する効率が更に増加する。第１電池２００の電圧が降下するため、第１供給電力Ｐ１が第２供給電力Ｐ２よりも大幅に少なく、すなわち、本発明の電池装置１００は、第１電池２００からの電力が減少するときに、第２電池３００からの第２供給電力Ｐ２が増加し、上記の電池の電力供給の切替により、第２供給電力Ｐ２が第２ダイオード１２２１を経由しないため、電力供給の効率が更に増加する。
【００２１】
一方、第１電池２００だけが電子装置１００と電気的に連接する場合には、系統モジュール１１が第１スイッチ信号Ｓ３を第１スイッチ１２１２に伝送して第１スイッチ１２１２をオンにすることだけが必要であるため、第１供給電力Ｐ１の利用効率が更に増加する。
【００２２】
図４を参照する。図４は本発明の一実施形態の電子装置に電源供給モジュールが電気的に連接されて第１充電状態になることを示す模式図である。電子装置１００が電源供給モジュール４００と電気的に連接し、電源供給モジュール４００が系統モジュール１１と電気的に連接するときには、電子装置１００が第１充電状態に入り、系統モジュール１１は、第１スイッチ１２１２に第１スイッチ信号Ｓ３を伝送し、第２スイッチ１２２２に第２スイッチ信号Ｓ４を伝送することにより、第１スイッチ１２１２がオンされ第２スイッチ１２２２がオフされ、そうすると、電源供給モジュール４００から系統モジュール１１及び第１スイッチ１２１２を介して第１充電電力Ｐ３が第１電池２００に供給される。
【００２３】
図５を参照する。図５は本発明の一実施形態の電子装置に電源供給モジュールが電気的に連接されて第２充電状態になることを示す模式図である。第１電池２００の電圧が設定された臨界電圧値よりも大きい場合には、系統モジュール１１は、第１スイッチ１２１２に第１スイッチ信号Ｓ３を伝送し、第２スイッチ１２２２に第２スイッチ信号Ｓ４を伝送し、これにより、第１スイッチ１２１２がオフになり第２スイッチ１２２２がオンになり、そうすると、充電状態が第２充電状態に入り、電源供給モジュール４００から第２スイッチ１２２２を介して第２充電電力Ｐ４が第２電池３００に供給される。本実施例では、臨界電圧値は第１電池２００のフルパワー時の電圧値と同じであることが好ましい。
【００２４】
一方、第１電池２００だけが電子装置１００と電気的に連接する場合には、系統モジュール１１が第１スイッチ信号Ｓ３を第１スイッチ１２１２に伝送して第１スイッチ１２１２をオンにすることだけで、電源供給モジュール４００から系統モジュール１１及び第１スイッチ１２１２を介して第１充電電力Ｐ３を第１電池２００に供給することができる。
【００２５】
上記の説明から明らかなように、本発明の電池並列接続回路１２を有する電子装置１００によれば、電池並列接続回路１２により、電気的に並列接続する複数の電池のうちのどの電池の電力を利用するかを決めることが可能であり、当該電池の電力が減少するときに、他の電池が電子装置１００に電力を補足するため、一つ以上の電池の電力を同時に利用可能であり、且つ電子装置１００をシャットダウンせずに、利用の電池を切り替えることができ、そして電源供給モジュール４００により複数の電池を順次に充電することができる。
【００２６】
このように、本発明が、特定の例を参照して説明されたが、それらの例は、説明のためだけのものであり、本発明を限定するものではなく、この分野に通常の知識を有する者には、本発明の精神および範囲を逸脱することなく、ここで開示された実施例に変更、追加、または、削除を施してもよいことがわかる。
【符号の説明】
【００２７】
１１：系統モジュール、１２：電池並列接続回路、１２１：第１電源切替回路、１００：電子装置、１２２：第２電源切替回路、２００：第１電池、３００：第２電池、４００：電源供給モジュール、１２１１：第１ダイオード、１２１２：第１スイッチ、１２２１：第２ダイオード、１２２２：第２スイッチ、Ｐ１：第１供給電力、Ｐ２：第２供給電力、Ｐ３：第１充電電力、Ｐ４：第２充電電力、Ｓ１：第１電池情報、Ｓ２：第２電池情報、Ｓ３：第１スイッチ信号、Ｓ４：第２スイッチ信号。
【産業上の利用可能性】
【００２８】
本発明は、電子装置に適用することができる。
【図１】
2011120436.tif 000003
【図２】
2011120436.tif 000004
【図３】
2011120436.tif 000005
【図４】
2011120436.tif 000006
【図５】
2011120436.tif 000007